(57)【要約】  エアロゾルの形態の物質を送達するためのデバイス（１）であって、  プランジャ（１０３）を備え、針を備えない注射器（１０１）と併せて使用され、  この送達デバイス（１）が、  注射器（１０２）にデバイス（１）を接続するための接続スリーブ（４）と、  エアロゾルの形態の物質を送達するための、好ましくは円錐台形の壁を備え、デバイス（１）の長尺状外側本体（２）上で得られるノズル（５３）と、  接続スリーブ（４）と分注用ノズル（５３）との間に含まれる流体力学的経路（５）であって、この経路（５）が、環状の拡張チャンバ（５０）と長尺状加速チャンバ（５２）とを、使用の際、プランジャ（１０３）の手動作動が、前記流体力学的経路（５）内への接続スリーブ（４）を通じた液体形状の物質の入力と、分注用ノズル（５３）を通じたエアロゾルの形態の物質の出力とを生じるように含む、流体力学的経路（５）とを備える、エアロゾルの形態の物質を送達するためのデバイス（１）。【選択図】図１
2016532535.tif 000002
【特許請求の範囲】
【請求項１】
エアロゾルの形態の物質の送達デバイス（１）であって、
液体形状の前記物質の容器（１０２）と前記物質を前記容器（１０２）から排出することに適した手動作動手段（１０３）と併せて、特に注射器（１０１）と併せて使用されることに適しており、
前記送達デバイス（１）が、
前記容器（１０２）に前記デバイス（１）を接続することに適した接続手段（４）と、
エアロゾルの形態の前記物質を散布するためのノズル（５３）を担持する長尺状外側本体（２）と、
前記外側本体（２）内に受け入れられた内側本体（３）と、
前記接続手段（４）と前記分注用ノズル（５３）との間に含まれ、前記外側本体（２）と前記内側本体（３）との間に規定される流体力学的経路（５）であって、前記経路（５）が、使用の際、前記作動手段（１０３）の手動作動が、前記流体力学的経路（５）内への前記接続手段（４）を通じた液体形状の前記物質の入力と、前記分注用ノズル（５３）を通じたエアロゾル（５３）の形態の前記物質の出力とを生じるように構成される、流体力学的経路（５）と、を備え、
前記流体力学的経路（５）が、
前記デバイス（１）内の前記物質の流れに対して前記接続手段（４）のすぐ下流に配置され、実質的に環状の幾何学的形状を有する拡張チャンバ（５０）と、
前記デバイス（１）内の前記物質の前記流れに対して前記拡張チャンバ（５０）のすぐ下流に配置され、実質的に長尺状の幾何学的形状を有する加速チャンバ（５２）であって、前記加速チャンバ（５２）が長手方向（Ｌ）に従って、前記拡張環状のチャンバ（５０）の軸に及び／又は前記デバイスの長手方向軸（Ｌ）に実質的に平行に伸長する、加速チャンバ（５２）と、を備える、エアロゾルの形態の物質の送達デバイス（１）。
【請求項２】
前記流体力学的経路（５）が、全体として、前記接続手段（４）と前記分注用ノズル（５３）との間に、前記物質の流速の増加及びその流量の減少を生じるように構成される、請求項１に記載のデバイス（１）。
【請求項３】
前記接続手段が前記長手方向（Ｌ）に実質的に直交する方向に伸長する接続チャネル（４）を備える、請求項１又は２に記載のデバイス（１）。
【請求項４】
前記分注用ノズル（５３）が実質的に円錐台形の幾何学的形状（５３０）を呈する壁により規定され、前記ノズル（５３）が前記円錐台の小さい方のベースで得られる、請求項１〜３のいずれか１項に記載のデバイス（１）。
【請求項５】
前記接続手段が、好ましくはスリーブの形態の、液体形状の前記物質の前記容器（１０２）のスナップイン端部を受けるように適合された結合要素（４）を備える、請求項１〜４のいずれか１項に記載のデバイス（１）。
【請求項６】
前記接続手段（４）が、前記デバイス（１）の主要な伸長の長手方向（Ｌ）に実質的に直交する接続方向（Ｔ）に従い液体形状の前記物質の前記容器（１０２）との接続を可能にするように構成される、請求項１〜５のいずれか１項に記載のデバイス（１）。
【請求項７】
前記外側本体（２）及び／又は前記内側本体（３）が、好ましくは実質的に円筒形の幾何学的形状を呈する実質的に長方形状を有する、請求項１〜６のいずれか１項に記載のデバイス（１）。
【請求項８】
前記内側本体（３）が、前記外側本体（２）に対して、それらの間に加速チャンバ（５２）が規定されたままとなるような方法で、中心から外れて配置される、請求項１〜７のいずれか１項に記載のデバイス（１）。
【請求項９】
使い捨てタイプである、請求項１〜８のいずれか１項に記載のデバイス（１）。
【請求項１０】
前記外側本体（２０２）が、特に、鼻孔内への前記デバイスの貫通を制限するストッパとして作用するのに好適な、実質的に丸い形の部分（２２２）を含む、請求項１〜９のいずれか１項に記載のデバイス（２００）。
【請求項１１】
鼻孔から出ていく逆流流体を集めるように配置される容器を含む、請求項１〜１０のいずれか１項に記載のデバイス（２００）。
【請求項１２】
前記外側本体（２０２）が、鼻孔から出ていく逆流流体を集めるための１つ又は複数の開口（２２６）を担持する、請求項１〜１１のいずれか１項に記載のデバイス（２００）。
【請求項１３】
エアロゾルの形態の物質を送達するための装置（１００）であって、
請求項１〜１２のいずれか１項に記載のデバイス（１）と、液体形状の前記物質の容器（１０２）と、前記物質を前記容器（１０２）から排出する傾向がある手動作動手段（１０３）とを備え、前記容器（１０１）が、好ましくはプランジャを有する注射器の本体である、エアロゾルの形態の物質を送達するための装置（１００）。
【請求項１４】
キットの形態で提供される、請求項１３に記載のシステム（１００）。
【発明の詳細な説明】
【技術分野】
【０００１】
本発明は、エアロゾルの形態の物質の送達デバイスに関し、及び特に、手動で（さえ）作動され得るデバイスに関する。
【背景技術】
【０００２】
近年、鼻吸入薬による薬剤の局所投与が、とりわけ急性及び慢性炎症過程の治療のため、並びに、通常は経口（侵襲的）経路により投与されなければならない医薬物質のためにより一層広まっている。鼻吸入薬は口を通した経路すなわち経口経路に関して以下の利点を有する。
−薬剤が初回通過効果及び胃腸代謝を回避する、
−鼻粘膜の高い透過性及び血管新生により薬剤が迅速に吸収される、
−投与経路が侵襲的でなく、従って、感染症のリスクが最小化される、
−投与のための特別な訓練が求められない、
−患者に外傷が生じない。
【０００３】
急性及び慢性の両方の、鼻副鼻腔の病状に対する局所治療は、特に副鼻腔炎の及び具体的には鼻副鼻腔炎の治療のために、耳鼻咽喉科医及び家庭医によって一般に使用されるようになっている。
【０００４】
副鼻腔炎の治療には以下の主目的がある。
−鼻副鼻腔の分泌物の正しい排液路を再確立すること、
−炎症源を確認する又は取り除くこと、
−症状、とりわけ痛み及び鼻づまりの感覚を和らげること。
【０００５】
このような目的に到達するため、実際には特に以下のような異なる療法の選択肢が適用される。
−炎症及び粘膜浮腫を減らすための副腎皮質ステロイド系抗炎症薬、
−分泌物を流体化するための粘液溶解薬、
−特にアレルギー患者における、分泌物及び粘液の反応性を減らすための抗ヒスタミン剤、
−鼻閉塞を減らすための鼻充血除去薬、
−分泌物を減らすための抗コリン作用薬、
−感染症と戦うための抗生物質。
【０００６】
経口経路による投与に対して、上記薬剤の鼻腔内投与は、経口経路に対して、より迅速かつ侵襲的でない経路であり、より少ない用量を投与することを可能にするという利点を有し、「標的」部位に直接到達し、結果として副作用がより少ない。
【０００７】
鼻に関する局所療法の主な標的は以下により代表される。
−中鼻道自然口ルート、上顎洞の小孔付近の構造、上顎、篩骨及び前頭洞から排液するための最も重要な部位、解剖学上又は炎症上のこのようなレベルでの障害物はしばしば副鼻腔の炎症の「第一原因(primum movens)」を表す、
−炎症が起きると、副鼻腔の排液の詰まり及び呼吸に関する鼻のスペースの減少を引き起こす、（上、中及びとりわけ下）鼻甲介、
−鼻窩及び蝶篩陥凹の後方部分、蝶形骨洞の排液部位、
−ほとんどの場合、急性及び慢性の両方の炎症性プロセスにおいて最も関係する洞は、上顎洞により及び篩骨洞により代表されることを考えると、副鼻腔自体。
【０００８】
このような鼻の局所治療は、投与される物質の鼻副鼻腔の洞内での噴霧を提供する。噴霧は、噴霧された粒子のサイズにより、スプレー又はエアロゾルの形態で実施され得る。噴霧された粒子のサイズは、投与時間及びとりわけ浸透深さ並びに噴霧された物質の鼻副鼻腔の洞内での分布に影響する。
【０００９】
特に、スプレーはより大きな直径を有する粒子の噴霧を可能にし、スプレーは少量の製品を鼻腔に挿入し、粘膜繊毛クリアランスにより、鼻窩の最も後方部分に少量散布することにより、同じ腔の最も前の部分、特に下鼻甲介の先端部に容易に到達する。
【００１０】
エアロゾル噴霧によりより小さい粒子を得ることが可能になり、これにより鼻窩内により多くの量の物質を投与すること、並びに、薬剤のより良好な散布を可能にすることにより、実際は粒子のより限られている直径により、中鼻道及び鼻窩のより深い部分を達成することが可能になる。
【００１１】
スプレー噴霧の現在のシステムの欠点は、主に以下により代表される。
−鼻窩に挿入される薬剤の量の減少、
−薬剤が、主に下鼻甲介の先端部のレベルでかつ鼻窩の第３の鼻甲介に散布され、鼻窩の残りの部分には少量しか散布されない、
−かなり高い製造及び販売コスト。
【００１２】
原則として、エアロゾルによる噴霧は、薬剤のより良好な浸透及び分布ゆえに、鼻副鼻腔の洞の治療の療法上の観点から好ましい。しかしながら、エアロゾル噴霧の現行のシステムでさえも、特に以下のようないくつかの重要な欠点を有している。
−投与時間が長い、
−粘質物質の噴霧が困難／不可能、
−外部エネルギー源、典型的には電気ソケットの必要性が伴う、かさばることの多いデバイスが必要、
−各投与の下流で高い衛生基準を維持する取組み、
−にもかかわらず、かなり高い製造及び販売コスト。
【００１３】
鼻副鼻腔の洞内に薬剤を噴霧するためのデバイスのいくつかは、実際は低い方の気道の炎症性症状のためとみなされており、鼻副鼻腔の洞自体に「適合」されていることも留意されたい。
【発明の概要】
【００１４】
本発明により提起され解決される技術的問題は、従って、公知技術を参照して上で言及された欠点を除くことを可能にするエアロゾルの形態の物質の送達デバイスを提供することである。
【００１５】
このような問題は請求項１に記載のデバイスにより解決される。
【００１６】
本発明の好ましい特徴は、従属請求項の主題である。
【００１７】
本発明のデバイスは、鼻副鼻腔の洞内における局所投与を可能にし、結果としてのスプレーのように快適でエアロゾルのように効果的な噴霧を可能にする。デバイスは、ワクチン、インシュリン、頭痛の治療のための鎮痛剤、及び鼻を経て投与されると潜在的に効果的な他の薬剤を含む、鼻を経て投与され得る全ての薬剤のために容易に使用され得る。
【００１８】
好ましくは−かつ以下でより十分に説明されるとおり−デバイスは、手動で作動され、投与される薬剤の量に応じて異なる性能を有する一般的な注射器と組み合わせて使用されるのに適している。注射器−及び特にこの注射器の送出端（針なし）−は、例えば、注射器上及びデバイス上の両方に存在する特定のねじ山により、単純な圧力による又はねじによるスナップインで、本発明のデバイスに接続される。このようにして、ユーザは注射器のプランジャを作動させて送達デバイス内の液体薬剤の移動を決定し、送達デバイスの内側で物質が噴霧され、それはエアロゾルの形態での鼻内への直接投与のために出ていく。
【００１９】
デバイスは、順序どおり配置され、かつ、以下に示されるものに従って、流体の最適な送達を決定するのに好適な、拡張チャンバ及び加速チャンバに基づく流体力学的経路(fluidodynamic path)を含む。
【００２０】
特に、デバイスは以下のことを可能にする。
−手動作動が可能であること及び有効な噴霧機構により、高い粘度を有していても、物質をエアロゾルレベルで噴霧すること、
−特に、およそ秒単位でさえある非常に短い投与時間（当然のことながら投与したい薬剤の量に依存するとしても）、
−需要及び薬剤自体に従って、薬剤の量を容易に調節することができること、
−スプレーよりも、薬剤の粘膜上へ広く散布すること、
−非常に低い製造及び販売コスト、
−デバイスを使い捨て（単回使用の）デバイスとして製造することが可能であること、及びそれが個人用の投与器具として提供され得るという事実による、高い衛生基準、
−サイズが縮小されかつ携帯可能であり、外部エネルギー源の必要性及び特に電気エネルギーの必要性なしにどこでも使用することができること、
−上記で説明されたことにより、通常は治療を受けることができない貧困層へ届けることができること、
−一連の薬剤をより利用可能にすること及び投与方法を見直すこと。
【００２１】
上記で示される特徴によるものであっても、本発明のデバイスは「スプレー−ソル（spray-sol）」と定義され得る。
【００２２】
本発明の他の利点、特徴及び使用モードは、一例としてであり限定する目的なく示される、いくつかの実施形態の以下の詳細な説明から明らかに結果として得られる。
【００２３】
添付図面の各図が参照される。
【図面の簡単な説明】
【００２４】
【図１】本発明によるデバイスの好ましい実施形態の長手方向断面図を示す。
【図２Ａ】図１のデバイスの正面図を示す。
【図２Ｂ】図１のデバイスの背面図を示す。
【図２Ｃ】図１の線Ｃ−Ｃに従って実施される、図１のデバイスの断面図を示す。
【図２Ｄ】図１の図の拡大した詳細図、特にデバイスの分注用ノズルの高さで実施される断面図を示す。
【図３】図１のデバイスの内側本体の側面図を示す。
【図４Ａ】ある使用段階の図１のデバイスの斜視図を注射器と共に示す。
【図４Ｂ】別の使用段階の図１のデバイスの斜視図を注射器と共に示す。
【図５】先行する図１〜図３の図をいくつかの好ましいサイズの表示と共に示す。
【図６Ａ】市販のスプレーでの予備的な比較送達試験の結果を示す。
【図６Ｂ】図１のデバイスでの予備的な比較送達試験の結果を示す。
【図７Ａ】ある深さで公知のスプレーを用いた場合の、鼻副鼻腔の洞において光学プローブで取得したイメージに関する。
【図７Ｂ】別の深さで公知のスプレーを用いた場合の、鼻副鼻腔の洞において光学プローブで取得したイメージに関する。
【図７Ｃ】ある深さで図１のデバイスを用いた場合の、鼻副鼻腔の洞において光学プローブで取得したイメージに関する。
【図７Ｄ】別の深さで図１のデバイスを用いた場合の、鼻副鼻腔の洞において光学プローブで取得したイメージに関する。
【図８】鼻腔との結合のための付属品を担持する、図１のデバイスの長手方向断面図を示す。
【図８Ａ】スポンジ材料でできている鼻腔との結合のための付属品を担持する、図１のデバイスの長手方向断面図を示す。
【図９Ａ】本発明のデバイスの別の好ましい実施形態に関し、その第１側面図を示す。
【図９Ｂ】本発明のデバイスの別の好ましい実施形態に関し、その第２側面図を示す。
【図９Ｃ】本発明のデバイスの別の好ましい実施形態に関し、その斜視図を示す。
【図９Ｄ】本発明のデバイスの別の好ましい実施形態に関し、その上部平面図を示す。
【図１０】注射器と組み合わせて使用中の図９Ａ〜図９Ｄのデバイスの側面図を示す。
【発明を実施するための形態】
【００２５】
上記の図に示されるサイズは純粋に例示のためのものであり、比例して示されてはいない。
【００２６】
第１に図１〜図３を参照すると、本発明の好ましい実施形態によるエアロゾルの形態の物質の送達デバイスが全体として１として示される。
【００２７】
デバイス１は、外側本体２と外側本体内に収容される内側本体３とにより構成される本体を含む。本体２及び３は両方とも実質的に長方形状（oblong shape）を有し、それらは、それら自身の主要な伸長である長手方向軸が、デバイス１の長手方向軸Ｌと実質的に一致する又はそれと平行である状態で配置される。
【００２８】
好ましくは、本体２及び３は、全体として実質的に円筒形の幾何学的形状を有する。
【００２９】
外側本体２は、中空であり、側部スカート２０により及び分注用ノズル５３を担持する前面２１により形成され、分注用ノズル５３は、好ましくは丸い形の送達セクションを備える。
【００３０】
図２Ｄにおいてより良好に見えるとおり、分注用ノズル５３は、実質的に円錐台形の幾何学的形状を有する壁５３０により規定され、ノズルは、円錐台の小さい方のベースで得られる。
【００３１】
内側本体３は、外側本体２のスカート２０内に長手方向軸Ｌに関してそれに対してわずかに中心を異にする位置において配置される側部スカート３０により規定される。内側本体３は、このとき外側本体２の前面２１に実質的に平行に、かつ、１つ又は複数の離間要素６によりそれから間を空けて配置される前面３１を有する。
【００３２】
好ましくは、離間要素６又は各離間要素は、切れ目なく製造され、又は、いずれにせよ外側本体２と一体的に作成される。
【００３３】
内側本体３は、次いでデバイス１を後方側で閉鎖する後方面３２を有する。
【００３４】
本明細書において好ましいと考えられる実施形態において、面２１、３１及び３２は実質的に円形の幾何学的形状を有する。
【００３５】
内側本体３は、それ自体の側部スカート３０で、環状の凹部３１０であって、特に、実質的に円筒形の底部壁３１１により並びに図１及び３の側面図又は長手方向図において明確にもたらされる２つの側壁により規定される環状の凹部３１０を担持する。
【００３６】
デバイス１は、次いで接続手段４を含み、接続手段４は、本発明の例においては外側本体２の側部スカート２０と一体的に得られる。特に、本発明の例において、接続手段４は、同様に４で示される結合スリーブであって実質的に円筒形の幾何学的形状を有し、長手方向軸Ｌに実質的に直交する軸Ｔに従って配置される、結合スリーブを含む。スリーブ４は、軸Ｔに沿って縮小する、特に外側本体２の側部スカート２０に向かって縮小するセクションを有する内側壁を担持する。本発明の例において、このような縮小セクションは、段差が付けられた内側外形４０により得られる。
【００３７】
本発明の好ましい実施形態において、スリーブ４は内側本体３の凹部３１０に配置される。
【００３８】
図４Ａ及び図４Ｂに示されるとおり、スリーブ４はデバイス１を注射器１０１へ接続するために使用され、注射器１０１は液体形態の物質を包含することを意図される。好ましくは、このような接続は、注射器１０１のリザーバ１０２の先端がスリーブ４自体の中に受け入れられている、スナップインタイプ、特に圧力によるスナップインタイプである。
【００３９】
スリーブ４は、特定のタイプの注射器と緊密及び／又は接続を確立するのに好適な周辺フランジ又はリング４１を担持し得る。
【００４０】
内側本体３の内側本体２内での分散された配置及び上述のデバイス１の構成により、外側本体２と内側本体３との間に流体力学的経路５が結果として規定され、結合スリーブ４とノズル５３との間に延在するようになる。このような経路５は、使用の際、注射器１０１のプランジャ１０３の手動作動が、リザーバ１０２から流体力学的経路５内への結合スリーブ４を通じた液体形状の物質の入力と、ノズル５３からのエアロゾルの形態の物質（Ａ）の出力と、を生じるように構成される。
【００４１】
経路５は、全体として、結合スリーブ４と分注用ノズル５３との間に、物質の流速の増加とその流量の減少とを生じるように構成される。
【００４２】
本明細書において好ましいと考えられる実施形態において、流体力学的経路５は、内側本体２の凹部３１０と、そのような凹部３１０に面する外側本体２の側部スカート２０の部分との間に規定される、実質的に環状の、好ましくは実質的に円環状の、幾何学的形状を有するチャンバ５０を含む。
【００４３】
環状のチャンバ５０は、スリーブ４により規定される内側内転チャネルの下流に介在することにより、流体のための拡張チャンバを表す。
【００４４】
好ましくは、経路５は、長手方向軸Ｌに沿って実質的に直線をなす伸長を有する、好ましくはチャンバ５０のすぐ下流に配置される、管又はチャンバ５２を含む。特に、このような管５２は、側部スカート２０と３０との間に、実質的にスリーブ４の反対側部上に、内側本体３の外側本体２内での分散された配置ゆえに、規定される。長手方向管５２は、流体を加速させるチャネル又はチャンバを、チャンバ５０に対して縮小された断面ゆえに、規定する。
【００４５】
このような長手方向管５２の下流では、流体力学的経路が、このとき、２つの面２１と３１との間に規定される区画に対応し、ノズル５３で終端する、断面部分５１を提供する。
【００４６】
拡張チャンバ５０からの、加速チャネル５２及び出口開口部５３を通じた流体経路により、その流体自体がエアロゾルの形態での噴霧に十分な速度に達するようになる。
【００４７】
実施形態の変形形態に基づくと、注射器１０１は、液体形状の物質の容器又はリザーバを担持する任意のデバイス及び物質を容器から排出する傾向がある手動作動手段に取って代わられることができ、手動作動手段はプランジャ又は他のものにより構成される。
【００４８】
さらに、デバイス１と注射器又は他のデバイスとの間に、着脱可能である代わりに永続的な接続が提供され得る。
【００４９】
依然として、デバイス１により及びリザーバ、注射器、容器などにより構成される送達システム全体は、リザーバ、注射器、容器などに受容される物質が液体とは異なる形態、例えば部分的に気体状の又は噴霧された形態であることを可能にし得る。
【００５０】
図８及び８Ａに示される実施形態の変形形態に基づくと、本明細書において説明されるデバイス及びシステムは、シーリング要素７であって、好ましくは円錐台のように成形され、例えばプラスチック、ゴム性又はスポンジ材料でできており（図８Ａ）、デバイス１を特に開口部５３で、鼻孔で、及び／又は深すぎる挿入及び薬剤が重力及び吸収作用により出ていくことを回避するため、「シーリング」する機能を備えるシーリング要素７と一体化され得る。
【００５１】
説明された送達システムは、異なる限度容積を有するリザーバ又は容器を備える場合であっても、実施形態の変形形態に基づき、１つ又は複数の投与される物質と併せてキットの形態で提供され得る。投与される物質は、例えば使用の際に着脱可能な緊密なシールを備え得る注射器の本体内などの容器内に既に受容された状態で提供され得る。
【００５２】
図６Ａ及び図６Ｂは、物質の量及び分布に関して公知のスプレーディスペンサーに対して、デバイス１のより良好な効果が見られ得る予備的な送達試験の結果を示す。
【００５３】
同様に、図７Ａ〜図７Ｄは鼻副鼻腔の洞内の予備的な送達試験に関する。
【００５４】
図９Ａ〜図１０を参照し、本発明のデバイスの実施形態の変形形態がここで説明される。このような変形形態は、既に説明されたことに対する違いにおいてのみ示される。
【００５５】
検討される変形形態のデバイスは全体として２００で示される。デバイス２００は、外側本体２０２により及び外側本体内に格納される内側本体２０３により構成される本体を含む。本体２０２及び２０３の両方は実質的に長方形状を有し、それらは、それら自体の主要な伸長の長手方向軸が、デバイス２００の長手方向軸Ｌと一致するかそれに平行である状態で配置される。
【００５６】
好ましくは、内側本体２０３は全体として実質的に円筒形の幾何学的形状を有する。
【００５７】
対照的に、外側本体２０２は丸い外形を有する部分２２２を担持する。本発明の例において、このような部分２２２は全体として膨大部状の形状を実装する。部分２２２は、外側本体２０２の２つの端部部分であって、それぞれ治療を受けるユーザに対して末端部分２２３及び基端部分２２４である、２つの端部部分間に挿入される。このような２つの末端２２３及び基端２２４部分は、丸い形の部分２２２に対して限定された断面及び特に実質的に円筒形の幾何学的形状を有する。
【００５８】
外側本体２０２は、中空であり、基端部分２２４に配置され、第１実施形態について既に説明されたものと類似の分注用ノズル２５３を有する前面２１０を担持する。
【００５９】
丸い形の部分２２２で、外側本体２０２が複数の開口２２６を担持して鼻孔から出る潜在的な逆流流体を受ける。このような開口２２６を通じて、逆流流体がデバイス２００の内側容器に受け入れられる。容器は次いで、デバイスを回転することにより、及び次いで開口２２６を通じて、又は、部分２２４及び２２２の外側本体２０２の部分２２３への着脱可能な接続を可能にすることにより、選択的に空にされる。容器は、部分２２２の外形に従うことにより丸い形の及び／又は（ほぼ）球形の形状、若しくは、長方形状又は他の任意の幾何学的形状を有し得る。さらに、容器は少なくとも部分的に部分２２２の壁により作製され得るか、別のコンポーネントとして提供され得る。
【００６０】
丸い形の部分２２２は、デバイス２００及び特に部分２２４を鼻孔の内側に押し過ぎることを可能にしない一種の「ストッパ」をさらには実装する。
【００６１】
デバイス２００は次いで、実質的に既に説明されたものと類似の接続手段２０４を含む。
【００６２】
デバイスの人間工学は、デバイス自体と物質の容器との間の結合の簡潔さによっても理解される。
【００６３】
当業者は特定の噴霧の必要性、並びに、特に粒子にとって望ましいサイズ及び噴霧される物質の特定の粘度特性に従って、流体力学的経路の特性を調節し得ることがさらに理解されよう。
【００６４】
本発明のデバイスは、非常に小さい直径を有する経路内で終端するトロイダル形の拡張チャンバゆえに流体へ与えられる速度を仮定すると、１０００ｋＤａより大きいサイズの高分子により構成される粘性溶液さえも噴霧可能である。噴霧は結果として、９５％超が直径が１０ミクロンを超える粒子により構成されることになる。
【００６５】
本発明は以上で好ましい実施形態を参照して説明された。同様の発明性のある核心部に属する他の実施形態も、以下に報告される請求項の保護範囲により定義されるとおり、存在し得るように意図される。
【図１】
2016532535.tif 000003
【図２Ａ．２Ｃ】
2016532535.tif 000004
【図２Ｂ】
2016532535.tif 000005
【図２Ｄ】
2016532535.tif 000006
【図３】
2016532535.tif 000007
【図４Ａ】
2016532535.tif 000008
【図４Ｂ】
2016532535.tif 000009
【図５】
2016532535.tif 000010
【図６Ａ】
2016532535.tif 000011
【図６Ｂ】
2016532535.tif 000012
【図７Ａ−７Ｄ】
2016532535.tif 000013
【図８】
2016532535.tif 000014
【図８Ａ】
2016532535.tif 000015
【図９Ａ】
2016532535.tif 000016
【図９Ｂ】
2016532535.tif 000017
【図９Ｃ】
2016532535.tif 000018
【図９Ｄ】
2016532535.tif 000019
【図１０】
2016532535.tif 000020
【国際調査報告】
2016532535.tif 000021
2016532535.tif 000022
2016532535.tif 000023